Podtech/llm-jp-corpus-v4-ja_patent huggingface dataset:
【手続補正書】
【提出日】平成28年6月20日(2016.6.20)
【手続補正１】
【補正対象書類名】特許請求の範囲
【補正対象項目名】全文
【補正方法】変更
【補正の内容】
【特許請求の範囲】
【請求項１】
８０℃未満のビカット軟化点（ＩＳＯ３０６／ＡＳＯによる）を有する少なくとも１種の熱可塑性ポリウレタン（ＴＰＵ）、ならびにＴＰＵおよびフリーラジカル重合によって得ることができるポリマーの全体に対して５から９５質量％のフリーラジカル重合によって得ることができる少なくとも１種のポリマーを含む発泡性ポリマー粒子材料であって、フリーラジカル重合によって得ることができるポリマーが、櫛形ポリマー、グラフトポリマー、またはコポリマーになるようにＴＰＵに結合されている、発泡性ポリマー粒子材料。
【請求項２】
フリーラジカル重合によって得ることができる前記ポリマーが、スチレンポリマーである、請求項１に記載の発泡性ポリマー粒子材料。
【請求項３】
前記スチレンポリマーが、ポリスチレンである、請求項２に記載の発泡性ポリマー粒子材料。
【請求項４】
前記ビカット軟化点が、６０から７５℃の範囲内である、請求項１から３のいずれか一項に記載の発泡性ポリマー粒子材料。
【請求項５】
前記ＴＰＵのショア硬度が５０から１５０の範囲内である、請求項１から４のいずれか一項に記載の発泡性ポリマー粒子材料。
【請求項６】
前記ＴＰＵのガラス転移温度が、−２０から−６０℃の範囲内である、請求項１から５のいずれか一項に記載の発泡性ポリマー粒子材料。
【請求項７】
前記ＴＰＵが、ジフェニルメタン２，２−ジイソシアネート、ポリテトラヒドロフラン、および１，４−ブテンジオールから得ることができる、請求項１から６のいずれか一項に記載の発泡性ポリマー粒子材料。
【請求項８】
前記ポリテトラヒドロフランが、ポリテトラヒドロフラン１０００およびポリテトラヒドロフラン２０００である、請求項７に記載の発泡性ポリマー粒子材料。
【請求項９】
発泡性ポリマー粒子材料の製造方法であって、以下の工程
ａ）モノマーの実質的な重合が起こらない温度で、水性媒体に、８０℃未満のビカット軟化点を有する１種もしくは複数のＴＰＵ、ＴＰＵおよび述べられたモノマーの全体に対して５から９５質量％のフリーラジカル経路によって重合可能な１種もしくは複数のモノマー、重合開始剤、分散剤、ならびに場合によって、その他の追加の物質および／または重合助剤を分散する工程と、
ｂ）結果として得られた分散物を、モノマーの実質的な重合が起こらない温度で、１から２４時間、場合によって撹拌する工程と、
ｃ）ＴＰＵに、モノマーを櫛形ポリマー、グラフトポリマーまたはコポリマーの形態で重合する工程と、
ｄ）水性懸濁液に物理的発泡剤を加える工程と
を含む、方法。
【請求項１０】
前記重合が、臭素化有機および／もしくはリン含有難燃剤ならびに／または有機過酸化物の存在下で実行される、請求項９に記載の方法。
【請求項１１】
前記重合が、架橋剤の存在下で実行される、請求項９または１０に記載の方法。
【請求項１２】
重合温度未満で、前記熱可塑性ポリウレタンが、フリーラジカル経路によって重合可能なモノマー、開始剤、ならびにまた場合によって補助剤およびその他の追加の物質の溶液中で膨潤され、重合温度が、膨潤手順が実行される温度を著しく超える、請求項９から１１のいずれか一項に記載の方法。
【請求項１３】
前記重合が１１０から１４０℃で起こり、前記膨潤が１０から６０℃で起こる、請求項１２に記載の方法。
【請求項１４】
前記発泡剤の組み入れが、摂氏１００度より高温で起こる、請求項９から１３のいずれか一項に記載の方法。
【請求項１５】
水相が、界面活性剤および／または保護コロイドと組み合わせたピッカリング安定剤を含む、請求項９から１４のいずれか一項に記載の方法。
【請求項１６】
請求項１から８のいずれか一項に記載の発泡性ポリマー粒子材料の予備発泡によって得ることができる、発泡ポリマー粒子材料。
【請求項１７】
請求項１６に記載の発泡ポリマー粒子材料から得ることができる、発泡成形品。
【請求項１８】
請求項１７に記載の発泡成形品を含む、床仕上げ材、絶縁材料、靴底またはバンパー。
【手続補正書】
【提出日】平成28年6月23日(2016.6.23)
【手続補正１】
【補正対象書類名】特許請求の範囲
【補正対象項目名】全文
【補正方法】変更
【補正の内容】
【特許請求の範囲】
【請求項１】
少なくとも下記を含むことを特徴とする熱発泡性ゴム組成物：
・50〜100phrの、スチレンとブタジエンをベースとするコポリマー；
・任意構成成分としての、0〜50phrの他のジエンエラストマー；
・50phrよりも多い補強用充填剤；
・5phrと25phrの間の量の、炭酸ナトリウム、炭酸水素ナトリウム、炭酸カリウムまたは炭酸水素カリウムの微小粒子であって、1μmと50μmの間の中央値粒度を有する前記微小粒子：
・2phrと15phrの間の量の、融点が60℃と220℃の間であるカルボン酸；
・10phrよりも多い炭酸(水素)塩とカルボン酸の合計含有量。
【請求項２】
スチレンとブタジエンをベースとする前記コポリマーが、スチレン/ブタジエンコポリマーである、請求項１記載の組成物。
【請求項３】
スチレンとブタジエンをベースとする前記コポリマーが、−40℃よりも高いガラス転移温度を示す、請求項１または請求項２記載の組成物。
【請求項４】
前記他のジエンエラストマーが、天然ゴム、合成ポリイソプレン、ポリブタジエン、ブタジエンコポリマー、イソプレンコポリマーおよびこれらのエラストマーのブレンドからなる群から選ばれる、請求項１〜３のいずれか１項記載の組成物。
【請求項５】
20℃で液体の可塑剤を、補強用充填剤対液体可塑剤の質量比が2.0よりも高いような含有量でさらに含む、請求項１〜４のいずれか１項記載の組成物。
【請求項６】
20℃よりも高いガラス転移温度を示す可塑化用炭化水素樹脂をさらに含む、請求項１〜５のいずれか１項記載の組成物。
【請求項７】
前記微小粒子の質量による中央値粒度が、2μmと30μmの間である、請求項１〜６のいずれか１項記載の組成物。
【請求項８】
前記カルボン酸が、パルミチン酸、ステアリン酸、ノナデカン酸、ベヘン酸、シュウ酸、マロン酸、コハク酸、グルタル酸、アジピン酸、ピメリン酸、スベリン酸、アゼライン酸、セバシン酸、安息香酸、酒石酸、リンゴ酸、マレイン酸、グリコール酸、α−ケトグルタル酸、サリチル酸、フタル酸、クエン酸およびこれらの酸の混合物からなる群から選ばれる、請求項１〜７のいずれか１項記載の組成物。
【請求項９】
前記カルボン酸が、リンゴ酸、α−ケトグルタル酸、クエン酸、ステアリン酸およびこれらの酸の混合物からなる群から選ばれる、請求項８記載の組成物。
【請求項１０】
請求項１〜９のいずれか１項記載の組成物を硬化させた後に得られる、発泡状態の組成物。
【請求項１１】
請求項１〜１０のいずれか１項記載の組成物を含むタイヤ。
【請求項１２】
トレッドが請求項１〜１１のいずれか１項記載の組成物を含むタイヤ。
【手続補正書】
【提出日】平成28年4月4日(2016.4.4)
【手続補正１】
【補正対象書類名】特許請求の範囲
【補正対象項目名】全文
【補正方法】変更
【補正の内容】
【特許請求の範囲】
【請求項１】
びらん、創傷、潰瘍、または瘻孔もしくは耳炎の非経口的予防および／または治療のための薬剤の製造におけるパーツのキットの使用であって、
該薬剤は治療製剤であり、
該パーツのキットが、
ａ．アラニン、アルギニン、アスパラギン、アスパラギン酸、グルタミン酸、グルタミン、イソロイシン、ロイシン、リシンおよび／またはバリンからなる群から選択される１つまたはそれ以上のアミノ酸を含む第１の水性成分と、
ｂ．Ｃｌ２、次亜塩素酸塩、亜塩素酸塩、塩素酸塩、過塩素酸塩および／または次亜塩素酸塩化合物からなる群から選択される活性塩素化合物を含む第２の水性成分と、
を含み、該第１の成分および／または該第２の成分のｐＨが９〜１１．５である、
上記使用。
【請求項２】
前記第２の水性成分が、Ｃｌ２、次亜塩素酸塩および／または次亜塩素酸塩化合物からなる群から選択される活性塩素化合物を含む、請求項１に記載の使用。
【請求項３】
前記ｐＨが、９〜１１、または９〜１０．５、または９．５〜１０．５、または９．５〜１１．５、または１０〜１１．５、または１０．５〜１１．５、または１１〜１１．５である、請求項１または２に記載の使用。
【請求項４】
前記予防および／または治療が、疼痛緩和および／または抗菌作用を含む、請求項１〜３のいずれか１項に記載の使用。
【請求項５】
前記びらん、潰瘍、瘻孔または耳炎が慢性であり、炎症、感染症および／または壊死を含む、請求項１〜４のいずれか１項に記載の使用。
【請求項６】
前記第２の成分の活性塩素化合物の量が０．５〜５、０．５〜３または１〜２％（質量による）である、請求項１〜５のいずれか１項に記載の使用。
【請求項７】
前記１つまたはそれ以上のアミノ酸が、グルタミン酸、ロイシンおよびリシンを含むか
、またはそれらからなる、請求項１〜６のいずれか１項に記載の使用。
【請求項８】
前記第１の成分が前記１つまたはそれ以上のアミノ酸０．１〜１％（質量による）を含む、請求項１〜７のいずれか１項に記載の使用。
【請求項９】
前記第１の水性成分がゲル物質をさらに含む、請求項１〜８のいずれか１項に記載の使用。
【請求項１０】
前記ゲル物質が、ポリエチレングリコール（ＰＥＧ）、および／もしくはカルボキシメチルセルロースおよび／もしくは多糖類物質もしくはその塩、例えばナトリウムカルボキシメチルセルロース（Ｎａ−ＣＭＣ）を含むか、またはそれらである、請求項９に記載の使用。
【請求項１１】
前記第１の成分がゲル物質２〜４％（質量による）を含む、請求項９または１０に記載の使用。
【請求項１２】
前記パーツのキットが、
ａ．グルタミン酸、ロイシンおよびリシン０．１〜１％（質量による）およびナトリウムカルボキシメチルセルロース２〜４％（質量による）を含む第１の水性成分と、
ｂ．次亜塩素酸ナトリウム１〜２％（質量による）を含む第２の成分と、
を含む、請求項１〜１１のいずれか１項に記載の使用。
【請求項１３】
第１の成分が、Ｔｉ２Ｏおよび／またはＮａＣｌをさらに含む、請求項１〜１２のいずれか１項に記載の使用。
【請求項１４】
びらん、創傷、潰瘍、または瘻孔もしくは耳炎の非経口的予防および／または治療のための薬剤の製造における治療製剤の使用であって、
該治療製剤が、
ａ．アラニン、アルギニン、アスパラギン、アスパラギン酸、グルタミン酸、グルタミン、イソロイシン、ロイシン、リシンおよび／またはバリンからなる群から選択される１つまたはそれ以上のアミノ酸を含む第１の水性成分と、
ｂ．Ｃｌ２、次亜塩素酸塩、亜塩素酸塩、塩素酸塩、過塩素酸塩および／または次亜塩素酸塩化合物からなる群から選択される活性ハロゲン化合物を含む第２の水性成分と、
を１：２〜２：１の体積比で、好ましくは約１：１の体積比で混合することによって得ることができ、該第１の成分および／または該第２の成分のｐＨが９〜１１．５である、
上記使用。
【請求項１５】
前記第２の水性成分が、Ｃｌ２、次亜塩素酸塩および／または次亜塩素酸塩化合物からなる群から選択される活性塩素化合物を含む、請求項１４に記載の使用。
【請求項１６】
前記治療製剤が、前記成分を一緒に混合した後、３０秒以内に、かつ室温および１気圧の圧力（１０１３２５Ｐａ）で９〜１１．５、好ましくは９〜１１または９〜１０．５、または９．５〜１０．５、または９．５〜１１．５、または１０〜１１．５、または１０．５〜１１．５または１１〜１１．５のｐＨを有する、請求項１４または１５に記載の使用。
【請求項１７】
前記予防および／または治療が疼痛緩和および／または抗菌作用を含む、請求項１４〜１６のいずれか１項に記載の使用。
【請求項１８】
前記びらん、潰瘍、瘻孔または耳炎が慢性であり、炎症、感染症および／または壊死を
含む、請求項１４〜１７のいずれか１項に記載の使用。
【請求項１９】
前記第１の水性成分が、グルタミン酸、ロイシンおよびリシン０．１〜１％（質量による）およびナトリウムカルボキシメチルセルロース２〜４％（質量による）を含み、そして前記第２の成分が、次亜塩素酸ナトリウム１〜２％（質量による）を含む、請求項１４〜１８のいずれか１項に記載の使用。
【請求項２０】
第１の成分が、ＮａＣｌおよび／またはＴｉ２Ｏをさらに含む、請求項１４〜１９のいずれか１項に記載の使用。
【手続補正書】
【提出日】平成28年5月19日(2016.5.19)
【手続補正１】
【補正対象書類名】明細書
【補正対象項目名】００１４
【補正方法】変更
【補正の内容】
【００１４】
改質剤は、アミノアルキルシランを含むことができる。好適なアミノアルキルシランとしては、（３−アミノアルキル）アルコキシシラン（例えば、（３−アミノプロピル）トリエトキシシラン、（３−アミノプロピル）トリメトキシシラン、（３−アミノプロピル）ジエトキシメトキシシラン、および（３−アミノプロピル）ジメトキシエトキシシラン）；（Ｎ，Ｎ−アルキルアミノプロピル）トリアルコキシシラン（例えば、（Ｎ，Ｎ−ジメチルアミノプロピル）トリメトキシシラン、（Ｎ，Ｎ−ジエチルアミノプロピル）トリメトキシシラン、（Ｎ，Ｎ−ジメチルアミノプロピル）トリエトキシシラン、および（Ｎ，Ｎ−エチルメチルアミノプロピル）トリメトキシシラン）；（Ｎ−アルキルアミノプロピル）アルコキシシラン（例えば、（Ｎ−メチルアミノプロピル）トリメトキシシランおよび（Ｎ−エチルアミノプロピル）トリエトキシシラン）；（Ｎ，Ｎ，Ｎ−トリメチルアミノプロピル）トリメトキシシラン；およびビス（トリアルコキシシリルアルキル）アミン（例えば、ビス（トリメトキシシリルプロピル）アミンおよびビス（トリエトキシシリルプロピル）アミン）が挙げられるが、それらには限定されない。また、アミノシランは、Ｎ−（３−トリエトキシシリルプロピル）−４，５−ジヒドロイミダゾールおよび［３−（２−アミノエチル）アミノプロピル］トリメトキシシランの少なくとも１種であることができる。
【手続補正２】
【補正対象書類名】特許請求の範囲
【補正対象項目名】全文
【補正方法】変更
【補正の内容】
【特許請求の範囲】
【請求項１】
（ａ）ジルコニア粒子；
（ｂ）該ジルコニア粒子に付着する改質剤；
（ｃ）アミノ酸およびアルキルカルボン酸の少なくとも１種を含む有機酸；および、
（ｄ）水、
を含んでなる化学機械研磨（ＣＭＰ）組成物。
【請求項２】
前記ジルコニア粒子が、前記ＣＭＰ組成物中に、０．０１質量％〜５質量％の濃度で存在する、請求項１記載のＣＭＰ組成物。
【請求項３】
前記有機酸が、前記ＣＭＰ組成物中に、０．００１質量％〜５質量％の濃度で存在する、請求項１記載のＣＭＰ組成物。
【請求項４】
前記改質剤が、アミノシランを含む、請求項１記載のＣＭＰ組成物。
【請求項５】
前記アミノシランが、ビス（トリメトキシシリルプロピル）アミン、アミノプロピルトリメトキシシラン、（Ｎ−メチル−３−アミノプロピル）トリメトキシシラン、（Ｎ，Ｎ−ジメチル−３−アミノプロピル）トリメトキシシラン、（Ｎ，Ｎ，Ｎ−トリメチル−３−アミノプロピル）トリメトキシシラン、Ｎ−（３−トリエトキシシリルプロピル）−４，５−ジヒドロイミダゾールおよび［３−（２−アミノエチル）アミノプロピル］トリメトキシシランの少なくとも１種である、請求項４記載のＣＭＰ組成物。
【請求項６】
前記改質剤が、ホスホン酸、アルキルホスホン酸、アミノアルキルホスホン酸、アルキルスルホン酸、ジアルキルスルホキシドおよびジアルキルスルホンの少なくとも１種を含む、請求項１記載のＣＭＰ組成物。
【請求項７】
前記改質剤が、アミノシランおよびアミノアルキルホスホン酸を含む、請求項１記載のＣＭＰ組成物。
【請求項８】
前記改質剤が、前記ＣＭＰ組成物中に、０．００１質量％〜５質量％の濃度で存在する、請求項１記載のＣＭＰ組成物。
【請求項９】
酸化剤を更に含む、請求項１記載のＣＭＰ組成物。
【請求項１０】
前記酸化剤が、銅およびタンタルの少なくとも１種を酸化する物質である、請求項９記載のＣＭＰ組成物。
【請求項１１】
前記酸化剤が、過酸化水素、ヨウ素酸アンモニウム、ヒドロキシルアミン、ヒドロキシルピリジンおよび過硫酸アンモニウムの少なくとも１種である、請求項９記載のＣＭＰ組成物。
【請求項１２】
前記酸化剤が、前記ＣＭＰ組成物中に、０．０１質量％〜５質量％の濃度で存在する、請求項９記載のＣＭＰ組成物。
【請求項１３】
０．０１質量％〜５質量％のトリアゾールを更に含む、請求項１記載のＣＭＰ組成物。
【請求項１４】
前記組成物が、３〜７のｐＨを有する、請求項１記載のＣＭＰ組成物。
【請求項１５】
化学機械研磨方法であって、
（ｉ）基材を、研磨パッドおよび請求項１記載のＣＭＰ組成物と接触すること；
（ｉｉ）該研磨パッドを、該基材に対して、該ＣＭＰ組成物をその間に備えて、動かすこと；ならびに、
（ｉｉｉ）該基材の少なくとも一部を削り取って、該基材を研磨すること、
を含んでなる方法。
【請求項１６】
前記基材が、銅の少なくとも１層および二酸化ケイ素系誘電体の少なくとも１層を含み、かつ該銅層の少なくとも一部および該二酸化ケイ素系誘電体層の少なくとも一部を削り取って該基材を研磨する、請求項１５記載の方法。
【請求項１７】
基材の化学機械研磨方法であって、
（ｉ）金属の少なくとも１層および酸化物系誘電体の少なくとも１層を含む基材を、研磨パッドおよびＣＭＰ組成物と接触させること、該ＣＭＰ組成物は、
（ａ）ジルコニア粒子；
（ｂ）過酸化水素、ヨウ素酸アンモニウム、および過硫酸アンモニウムの少なくとも１種を含む酸化剤；
（ｃ）アミノ酸およびアルキルカルボン酸の少なくとも１種を含む有機酸；および、
（ｄ）水、を含んでいる、
（ｉｉ）該研磨パッドを、該基材に対して、該ＣＭＰ組成物をその間に備えて、動かすこと；ならびに、
（ｉｉｉ）該金属層の少なくとも一部および該酸化物系誘電体層の少なくとも一部を削り取って該基材を研磨すること、
を含んでなる方法。
【請求項１８】
前記金属層が銅を含み、かつ前記酸化物系誘電体層が二酸化ケイ素系誘電体層からなる、請求項１７記載の方法。
【請求項１９】
前記ＣＭＰ組成物が、
（ａ）０．０１質量％〜５質量％の前記ジルコニア粒子；
（ｂ）０．０１質量％〜５質量％の前記酸化剤；および
（ｃ）０．００１質量％〜５質量％の前記有機酸、
を含む、請求項１７記載の方法。
【請求項２０】
前記ＣＭＰ組成物が、前記ジルコニア粒子に付着する改質剤を更に含む、請求項１７記載の方法。
【請求項２１】
前記改質剤が、アミノシランを含む、請求項２０記載の方法。
【請求項２２】
前記アミノシランが、ビス（トリメトキシシリルプロピル）アミン、アミノプロピルトリメトキシシラン、（Ｎ−メチル−３−アミノプロピル）トリメトキシシラン、（Ｎ，Ｎ−ジメチル−３−アミノプロピル）トリメトキシシラン、（Ｎ，Ｎ，Ｎ−トリメチル−３−アミノプロピル）トリメトキシシラン、Ｎ−（３−トリエトキシシリルプロピル）−４，５−ジヒドロイミダゾールおよび［３−（２−アミノエチル）アミノプロピル］トリメトキシシランの少なくとも１種である、請求項２１記載の方法。
【請求項２３】
前記改質剤が、ホスホン酸、アルキルホスホン酸、アミノアルキルホスホン酸、アルキルスルホン酸、ジアルキルスルホキシドおよびジアルキルスルホンの少なくとも１種を含む、請求項２０記載の方法。
【請求項２４】
前記改質剤が、アミノシランおよびアミノアルキルホスホン酸を含む、請求項２０記載の方法。
【請求項２５】
前記改質剤が、前記組成物中に、０．００１質量％〜５質量％存在する、請求項２０記載の方法。
【手続補正書】
【提出日】平成28年6月3日(2016.6.3)
【手続補正１】
【補正対象書類名】特許請求の範囲
【補正対象項目名】全文
【補正方法】変更
【補正の内容】
【特許請求の範囲】
【請求項１】
対象における夜尿症を治療するための医薬組成物の使用であって、
前記医薬組成物が：
１つまたはそれ以上の鎮痛剤を含む有効成分を含み、前記１つまたはそれ以上の鎮痛剤がアスピリン、イブプロフェン、ナプロキセン、ナプロキセンナトリウム、インドメタシン、ナブメトンおよびアセトアミノフェンからなる群から選択される前記使用。
【請求項２】
請求項１に記載の使用であって、前記医薬組成物が即時放出を目的として配合される前記使用。
【請求項３】
請求項１に記載の使用であって、前記医薬組成物が延長放出を目的として配合される前記使用。
【請求項４】
請求項２に記載の使用であって、前記医薬組成物が腸溶コーティングでさらにコーティングされる前記使用。
【請求項５】
請求項１に記載の使用であって、前記医薬組成物が遅延放出を目的として配合される前記使用。
【請求項６】
請求項１〜５のいずれかに記載の使用であって、前記医薬組成物が１つまたはそれ以上の鎮痛剤を１つの薬剤につき１０〜１０００ｍｇの量で含む前記使用。
【請求項７】
請求項１〜６のいずれかに記載の使用であって、前記１つまたはそれ以上の鎮痛剤がアセトアミノフェンを含む前記使用。
【請求項８】
請求項７に記載の使用であって、前記医薬組成物が１０〜３００ｍｇの量にあるアセトアミノフェンを含む前記使用。
【請求項９】
請求項７に記載の使用であって、前記医薬組成物が３００〜１０００ｍｇの量にあるアセトアミノフェンを含む前記使用。
【請求項１０】
請求項１〜９のいずれかに記載の使用であって、前記１つまたはそれ以上の鎮痛剤がアセトアミノフェン、並びに、アスピリン、イブプロフェン、ナプロキセン、ナプロキセンナトリウム、インドメタシンおよびナブメトンからなる群から選択される１つの他の鎮痛剤からなる前記使用。
【請求項１１】
請求項１〜１０のいずれかに記載の使用であって、前記有効成分が抗ムスカリン剤をさらに含む前記使用。
【請求項１２】
請求項１〜１１のいずれかに記載の使用であって、前記有効成分が抗利尿剤をさらに含む前記使用。
【請求項１３】
請求項１〜１２のいずれかに記載の使用であって、前記有効成分が鎮痙剤をさらに含む前記使用。
【請求項１４】
請求項１〜１３のいずれかに記載の使用であって、前記有効成分が５型ホスホジエステラーゼ阻害剤（ＰＤＥ５阻害剤）をさらに含む前記使用。
【請求項１５】
対象における夜尿症を治療するための医薬組成物の使用であって、
前記医薬組成物が：
１つまたはそれ以上の鎮痛剤を１つの薬剤につき１〜１０００ｍｇの量で含有する有効物質を含み、前記１つまたはそれ以上の鎮痛剤がアスピリン、イブプロフェン、ナプロキセン、ナプロキセンナトリウム、インドメタシン、ナブメトンおよびアセトアミノフェンからなる群から選択され、
前記医薬組成物が即時放出、延長放出、遅延放出又はこれらの組み合わせを目的として配合される前記使用。
【請求項１６】
請求項１５に記載の使用であって、前記１つまたはそれ以上の鎮痛剤がアセトアミノフェンを含む前記使用。
【請求項１７】
請求項１６に記載の使用であって、前記１つまたはそれ以上の鎮痛剤がアスピリン、イブプロフェン、ナプロキセン、ナプロキセンナトリウム、インドメタシンおよびナブメトンからなる群から選択される鎮痛剤を更に含む前記使用。
【請求項１８】
請求項１５〜１７のいずれかに記載の使用であって、前記有効成分が抗ムスカリン剤、抗利尿剤、鎮痙剤及びＰＤＥ５阻害剤からなる群から選択される薬剤をさらに含む前記使用。
【請求項１９】
夜尿症を治療するための医薬組成物であって：
１つまたはそれ以上の鎮痛剤；
デスモプレシン；および
医薬品として許容できる担体を含み、
即時放出、延長放出、遅延放出又はこれらの組み合わせを目的として配合される前記医薬組成物。
【請求項２０】
請求項１９に記載の医薬組成物であって、前記１つまたはそれ以上の鎮痛剤がアセトアミノフェンを含む前記医薬組成物。
【手続補正書】
【提出日】平成28年10月7日(2016.10.7)
【手続補正１】
【補正対象書類名】特許請求の範囲
【補正対象項目名】全文
【補正方法】変更
【補正の内容】
【特許請求の範囲】
【請求項１】
（ｉ）少なくとも一の浸透圧排出促進剤、少なくとも一の制酸剤および第一の薬剤的に許容可能な賦形剤成分を、内部顆粒画分を形成するために湿式造粒すること；
（ｉｉ）工程（ｉ）で得られた該内部顆粒画分を、一又は複数の有機酸、非金属の潤滑成分および第二の薬剤的に許容可能な賦形剤成分を含む外部顆粒画分の成分と混合すること；ならびに
（ｉｉｉ）工程（ｉｉ）で得られた該混合物を錠剤に圧縮すること、を含む固形投与製剤の製造方法。
【請求項２】
（ｉｖ）該錠剤を被覆すること、をさらに含む、請求項１の方法。
【請求項３】
該内部顆粒画分が該製剤の総重量の約５０％を構成し、かつ該外部顆粒画分が該製剤の総重量の約５０％を構成する、請求項１の方法。
【請求項４】
該第一の薬剤的に許容可能な該賦形剤成分が、結合剤、希釈剤、安定剤、崩壊剤、消泡剤、抗粘着剤または消泡剤の少なくとも一つを含有する、請求項１の方法。
【請求項５】
該第二の薬剤的に許容可能な該賦形剤成分が、結合剤、希釈剤、安定剤、崩壊剤、消泡剤、抗粘着剤または消泡剤の少なくとも一つを含有する、請求項１の方法。
【請求項６】
該製剤中の希釈剤が、該内部顆粒画分と該外部顆粒画分との間で均等に分割されるように、該第一の薬剤的に許容可能な該賦形剤成分が、希釈剤の第一の量を含有し、かつ該第二の薬剤的に許容可能な該賦形剤成分が、同じ希釈剤の第二の量を含有する、請求項１の方法。
【請求項７】
該内部顆粒画分の該少なくとも一つの浸透圧排出促進剤成分が該製剤の総重量の１％までを構成する、請求項１の方法。
【請求項８】
該内部顆粒画分の該少なくとも一つの制酸剤成分が該製剤の総重量の２０％までを構成する、請求項１の方法。
【請求項９】
該第一の薬剤的に許容可能な該賦形剤成分が該製剤の総重量の３０％までを構成する、請求項1の方法。
【請求項１０】
該外部顆粒画分の該一または複数の有機酸が該製剤の総重量の４０％までを構成する、請求項１の方法。
【請求項１１】
該外部顆粒画分の該非金属の潤滑成分が該製剤の総重量の３％までを構成する、請求項１の方法。
【請求項１２】
該第二の薬剤的に許容可能な賦形剤成分が該製剤の総重量の１０％までを構成する、請求項１の方法。
【請求項１３】
外部顆粒画分と混合された内部顆粒画分を含む固形投与製剤であって、ここで該内部顆粒画分が少なくとも一の浸透圧排出促進剤、少なくとも一の制酸剤および第一の薬剤的に許容可能な賦形剤成分を含む顆粒を含有し、かつここで該外部顆粒画分が一または複数の有機酸、非金属の潤滑成分および第二の薬剤的に許容可能な賦形剤成分を含有する前記投与製剤。
【請求項１４】
該内部顆粒画分が該製剤の総重量の約５０％を構成し、かつ該外部顆粒画分が該製剤の総重量の約５０％を構成する、請求項１３の製剤。
【請求項１５】
該少なくとも一の浸透圧排出促進剤が微粉化ピコスルファートナトリウムである、請求項１３の製剤。
【請求項１６】
該少なくとも一の制酸剤が酸化マグネシウムである、請求項１３の製剤。
【請求項１７】
該少なくとも一の有機酸がアスコルビン酸である、請求項１３の製剤。
【請求項１８】
該非金属の潤滑剤が脂肪酸エステルである、請求項１３の製剤。
【請求項１９】
該第一の薬剤的に許容可能な賦形剤成分が結合剤、希釈剤、安定剤、崩壊剤、消泡剤、抗粘着剤または消泡剤の少なくとも一つを含有する、請求項１３の製剤。
【請求項２０】
該第二の薬剤的に許容可能な賦形剤成分が結合剤、希釈剤、安定剤、崩壊剤、消泡剤、抗粘着剤または消泡剤の少なくとも一つを含有する、請求項１３の製剤。
【請求項２１】
該製剤中の希釈剤が該内部顆粒画分と該外部顆粒画分の間に均等に分割されるように、該第一の薬剤的に許容可能な賦形剤成分が希釈剤の第一の量を含有し、かつ該第二の薬剤的に許容可能な賦形剤成分が同じ該希釈剤の第二の量を含有する、請求項１３の製剤。
【請求項２２】
該希釈剤がラクトース一水和物、微結晶セルロースもしくはソルビトールのひとつまたは組み合せより選択される、請求項２１の製剤。
【請求項２３】
錠剤、カプセル、トローチ、丸薬；または二層錠剤、二層カプセル、二層トローチもしくは二層丸薬の形態である、請求項１３の製剤。
【請求項２４】
患者の結腸排出促進のための錠剤形態の医薬組成物であって、外部顆粒画分と混合された内部顆粒画分を含有し、
ここで該内部顆粒画分がピコスルファートナトリウム、酸化マグネシウム、シメチコン、および第一の薬剤的に許容可能な賦形剤成分を含む顆粒を含有し、該外部顆粒画分がアスコルビン酸および第二の薬剤的に許容可能な賦形剤成分を含有し、
該錠剤形態の医薬組成物は、２４時間枠以内に、２５ないし３０個の錠剤を液体と共に患者に経口投与する方法であって、該錠剤を全て併せると、ピコスルファートナトリウム約３０ｍｇ、酸化マグネシウム約７ｇ、アスコルビン酸約１５ｇおよびシメチコン約１００ｍｇの合計投薬量となる方法により投与される、前記医薬組成物。
【手続補正書】
【提出日】平成28年6月3日(2016.6.3)
【手続補正１】
【補正対象書類名】特許請求の範囲
【補正対象項目名】全文
【補正方法】変更
【補正の内容】
【特許請求の範囲】
【請求項１】
それを必要とする対象における排尿頻度を減少させるための医薬組成物の使用であって、前記医薬組成物が：
１つまたはそれ以上の鎮痛剤の有効量およびタダラフィルの有効量を含む前記使用。
【請求項２】
請求項１に記載の使用であって、前記医薬組成物が即時放出、遅延放出、延長放出又はこれらの組み合わせを目的として配合される前記使用。
【請求項３】
請求項１に記載の使用であって、前記１つまたはそれ以上の鎮痛剤が延長放出を目的として配合されかつ前記タダラフィルが即時放出を目的として配合される前記使用。
【請求項４】
請求項１に記載の使用であって、前記１つまたはそれ以上の鎮痛剤が遅延放出を目的として配合されかつ前記タダラフィルが即時放出を目的として配合される前記使用。
【請求項５】
請求項１〜４のいずれかに記載の使用であって、前記１つまたはそれ以上の鎮痛剤がアセトアミノフェンを含む前記使用。
【請求項６】
請求項５に記載の使用であって、前記１つまたはそれ以上の鎮痛剤が１〜２０００ｍｇの量のアセトアミノフェンを含む前記使用。
【請求項７】
請求項１〜６のいずれかに記載の使用であって、前記医薬組成物が抗ムスカリン剤、抗利尿剤、鎮痙剤およびゾルピデムからなる群から選択される追加的薬剤をさらに含む前記使用。
【請求項８】
それを必要とする対象における排尿頻度を減少させるための医薬組成物の使用であって、前記医薬組成物が：
１つの薬剤あたり１〜２０００ｍｇの量の１つまたはそれ以上の鎮痛剤、及び、５型ホスホジエステラーゼ阻害剤（ＰＤＥ５阻害剤）を含む有効成分を含み、
前記１つまたはそれ以上の鎮痛剤がアスピリン、イブプロフェン、ナプロキセン、ナプロキセンナトリウム、インドメタシン、ナブメトン、およびアセトアミノフェンからなる群から選択される前記使用。
【請求項９】
請求項８に記載の使用であって、前記医薬組成物が即時放出、遅延放出、延長放出又はこれらの組み合わせを目的として配合される前記使用。
【請求項１０】
請求項８に記載の使用であって、前記医薬組成物が遅延放出を目的として配合される前記使用。
【請求項１１】
請求項８に記載の使用であって、前記医薬組成物が延長放出を目的として配合される前記使用。
【請求項１２】
請求項８〜１１のいずれかに記載の使用であって、前記１つまたはそれ以上の鎮痛剤がアセトアミノフェンを含む前記使用。
【請求項１３】
請求項８〜１２のいずれかに記載の使用であって、前記有効成分が抗ムスカリン剤、抗利尿剤、鎮痙剤およびゾルピデムからなる群から選択される追加的薬剤をさらに含む前記使用。
【請求項１４】
請求項８〜１３のいずれかに記載の使用であって、前記ＰＤＥ５阻害剤がタダラフィルである前記使用。
【請求項１５】
排尿の頻度を減少させるための医薬組成物であって：
１つまたはそれ以上の鎮痛剤；
ＰＤＥ５阻害剤；および
医薬品として許容できる担体を含み、
前記医薬組成物が：ａ）前記１つまたはそれ以上の鎮痛剤が延長放出を目的として配合されかつ前記ＰＤＥ５阻害剤が即時放出を目的として配合される、ｂ）前記１つまたはそれ以上の鎮痛剤が遅延放出を目的として配合されかつ前記ＰＤＥ５阻害剤が即時放出を目的として配合される、ｃ）前記１つまたはそれ以上の鎮痛剤および前記ＰＤＥ５阻害剤が２〜１２時間の間にわたる延長放出を目的として配合される、およびｄ）前記ＰＤＥ５阻害剤および前記１つまたはそれ以上の鎮痛剤のそれぞれの２０〜６０％が即時放出を目的として配合され、かつ前記１つまたはそれ以上の鎮痛剤のそれぞれの残りが延長放出を目的として配合される、からなる群から選択される様式で配合される前記医薬組成物。
【請求項１６】
請求項１５に記載の医薬組成物であって、前記１つまたはそれ以上の鎮痛剤が延長放出を目的として配合されかつ前記ＰＤＥ５阻害剤が即時放出を目的として配合される前記医薬組成物。
【請求項１７】
請求項１５に記載の医薬組成物であって、前記１つまたはそれ以上の鎮痛剤が遅延放出を目的として配合されかつ前記ＰＤＥ５阻害剤が即時放出を目的として配合されることを特徴とする前記医薬組成物。
【請求項１８】
請求項１５に記載の医薬組成物であって、前記１つまたはそれ以上の鎮痛剤および前記ＰＤＥ５阻害剤が２〜１２時間の間にわたる延長放出を目的として配合される前記医薬組成物。
【請求項１９】
請求項１５に記載の医薬組成物であって、前記ＰＤＥ５阻害剤および前記１つまたはそれ以上の鎮痛剤のそれぞれの２０〜６０％が即時放出を目的として配合され、かつ前記１つまたはそれ以上の鎮痛剤のそれぞれの残りが延長放出を目的として配合される前記医薬組成物。
【請求項２０】
請求項１５に記載の医薬組成物であって、腸溶コーティングでさらにコーティングされる前記医薬組成物。
【手続補正書】
【提出日】平成28年7月1日(2016.7.1)
【手続補正１】
【補正対象書類名】特許請求の範囲
【補正対象項目名】全文
【補正方法】変更
【補正の内容】
【特許請求の範囲】
【請求項１】
下記の化合物。
【化１】
2015522603.tif 000001
【請求項２】
請求項１に記載の化合物および１以上の製薬上許容される賦形剤を含む医薬組成物。
【請求項３】
慢性閉塞性肺疾患（ＣＯＰＤ）関連筋肉疲労、慢性腎臓病（ＣＫＤ）関連筋肉疲労、慢性心不全（ＣＨＦ）関連筋肉疲労および尿失禁から選択される障害を治療するための、請求項２に記載の医薬組成物。
【請求項４】
慢性閉塞性肺疾患（ＣＯＰＤ）関連筋肉疲労、慢性腎臓病（ＣＫＤ）関連筋肉疲労、慢性心不全（ＣＨＦ）関連筋肉疲労および尿失禁から選択される障害の治療のための医薬品の製造における請求項１に記載の化合物の使用。
【請求項５】
慢性閉塞性肺疾患（ＣＯＰＤ）関連筋肉疲労、慢性腎臓病（ＣＫＤ）関連筋肉疲労、慢性心不全（ＣＨＦ）関連筋肉疲労および尿失禁から選択される障害の治療に用いるための、請求項１に記載の化合物。
【請求項６】
股関節骨折の修復および治癒を加速するための、請求項２に記載の医薬組成物。
【請求項７】
股関節骨折の修復および治癒を加速するための医薬品の製造における、請求項１に記載の化合物の使用。
【請求項８】
股関節骨折の修復および治癒の加速に用いるための、請求項１に記載の化合物。
【請求項９】
火傷の治癒を加速するための、請求項２に記載の医薬組成物。
【請求項１０】
火傷の治癒を加速するための医薬品の製造における、請求項１に記載の化合物の使用。
【請求項１１】
火傷の治癒の加速に用いるための、請求項１に記載の化合物。
【請求項１２】
前記組成物が、請求項１に記載の化合物を0.1〜50 mg含む、請求項２、３、６又は９に記載の医薬組成物。
【請求項１３】
前記医薬品の投与により、0.1〜50 mgの請求項１に記載の化合物が投与されることとなる、請求項４、７または１０に記載の使用。
【手続補正書】
【提出日】平成28年7月14日(2016.7.14)
【手続補正１】
【補正対象書類名】特許請求の範囲
【補正対象項目名】全文
【補正方法】変更
【補正の内容】
【特許請求の範囲】
【請求項１】
ペネタマート（ＰＮＴ）またはその薬剤的同等製剤；少なくとも一つの油性ビヒクル；および固結防止剤を含む、筋肉内または皮下注射用のすぐに使える（ＲＴＵ）組成物。
【請求項２】
該固結防止剤が乳化剤または分散剤を含む、請求項１に記載の組成物。
【請求項３】
該固結防止剤が界面活性剤を含む、請求項２に記載の組成物。
【請求項４】
該界面活性剤が７〜１６の親水親油バランス（ＨＬＢ）を有する化合物より選択される、請求項３に記載の組成物。
【請求項５】
該界面活性剤がポリソルベート８０である、請求項４に記載の組成物。
【請求項６】
乳化剤または分散剤が非脂溶性レシチンである、請求項２ないし５のいずれか一項に記載の組成物。
【請求項７】
該非脂溶性レシチンがｐｈｏｓｐｈｏｌｉｐｏｎ  Ｈ９０である、請求項６記載の組成物。
【請求項８】
該固形防止剤がトリアセチンを含む、請求項１ないし７のいずれか一項に記載の組成物。
【請求項９】
該固結防止剤が非増粘性である、請求項１ないし８のいずれか一項に記載の組成物。
【請求項１０】
粘度が、温度２０℃およびせん断速度１／ｓでカップシリンダー法により測定された３０００ｍＰａｓ未満である、請求項１ないし９のいずれか一項に記載の組成物。
【請求項１１】
該ペネタマート（ＰＮＴ）またはその製剤が該組成物の５５％（ｗ／ｖ）以下を構成する、請求項１ないし１０のいずれか一項に記載の組成物。
【請求項１２】
ペネタマート（ＰＮＴ）の濃度が１５〜５５％（ｗ／ｖ）である、請求項１１に記載の組成物。
【請求項１３】
該組成物中のペネタマート濃度が２０〜３５％（ｗ／ｖ）である、請求項１２記載の組成物。
【請求項１４】
該ビヒクル油が低粘度である、請求項１ないし１３のいずれか一項に記載の組成物。
【請求項１５】
該組成物が液体形態である、請求項１ないし１４のいずれか一項に記載の組成物。
【請求項１６】
該ペネタマート（ＰＮＴ）の粒径ｄ５０が８〜３０ミクロンである、請求項１ないし１５のいずれか一項に記載の組成物。
【請求項１７】
保存料を含む請求項１ないし１６のいずれか一項に記載の組成物。
【請求項１８】
該保存料がベンジルアルコールである、請求項１７に記載の組成物。
【請求項１９】
請求項１ないし１８のいずれか一項に記載の組成物を含む注射器。
【請求項２０】
ペネタマート５ｇを含む請求項１９に記載の注射器。
【請求項２１】
微生物感染症の治療または予防のために、請求項１ないし１８のいずれか一項に記載の組成物により動物を治療する方法であって、それを必要とする動物に対する該組成物の筋肉内または皮下注射を含む方法。
【請求項２２】
該微生物感染症が前臨床または臨床乳房炎である、請求項２１に記載の方法。
【請求項２３】
約三日間繰り返される一日当たりペネタマート５ｇの投与計画を含む、請求項２１または２２のいずれかに記載の方法。
【請求項２４】
ａ）均質な油混合液を形成するために容器中で油と固結防止剤を混合することによって油性ビヒクルを調製する段階：および
ｂ）有効剤を油性ビヒクルに分散する段階
を含む、請求項１ないし１８のいずれか一項に記載の組成物の製造方法。
【請求項２５】
段階ａ）において保存料が該油性ビヒクルに添加される、請求項２４に記載の製造方法。
【請求項２６】
段階ｂ）において高せん断分散装置が使用される、請求項２４または２５に記載の製造方法。
【手続補正書】
【提出日】平成28年4月28日(2016.4.28)
【手続補正１】
【補正対象書類名】特許請求の範囲
【補正対象項目名】全文
【補正方法】変更
【補正の内容】
【特許請求の範囲】
【請求項１】
多発性硬化症の治療のための、ビオチンを含んでなる医薬組成物。
【請求項２】
前記多発性硬化症が、一次性または二次性進行型の多発性硬化症である、請求項１に記載の医薬組成物。
【請求項３】
多発性硬化症発作後の神経学的後遺症の治療のための、ビオチンを含んでなる医薬組成物。
【請求項４】
多発性硬化症の患者の歩行能力を改善するための、請求項１に記載の医薬組成物。
【請求項５】
多発性硬化症の患者の視力を改善するための、請求項１に記載の医薬組成物。
【請求項６】
患者に投与されるビオチンの１日量が５０〜７００ｍｇを含んでなる請求項１〜５のいずれか一項に記載の医薬組成物。
【請求項７】
患者に投与されるビオチンの量が１００〜３００ｍｇを含んでなる請求項１〜６のいずれか一項に記載の医薬組成物。
【請求項８】
経口投与に適した形態である、請求項１〜７のいずれか一項に記載の医薬組成物。
【請求項９】
ジェルカプセル、（任意にフィルムコートされた）錠剤、ロゼンジ、または丸剤の形態である、請求項１〜８のいずれか一項に記載の医薬組成物。
【請求項１０】
ビオチンおよび賦形剤を含有し、他のいずれの活性成分を含まない組成物の形態である、請求項１〜９のいずれか一項に記載の医薬組成物。
【請求項１１】
前記賦形剤が、タルク、微結晶性セルロース、ラクトース、およびマンノースからなる群から選ばれる、請求項１０に記載の医薬組成物。
【請求項１２】
注射投与に適した形態である、請求項１〜７のいずれか一項に記載の医薬組成物。
【請求項１３】
徐放組成物の形態である、請求項１〜１２のいずれか一項に記載の医薬組成物。
【請求項１４】
ビオチンを用いる前記治療の期間が少なくとも３か月である、請求項１〜１３のいずれか一項に記載の医薬組成物。
【請求項１５】
ビオチンを用いる前記治療の期間が少なくとも１年である、請求項１〜１４のいずれか一項に記載の医薬組成物。
【請求項１６】
患者に投与されるビオチンの１日量が少なくとも１００ｍｇである、請求項１〜１５のいずれか一項に記載の医薬組成物。
【請求項１７】
患者に投与されるビオチンの１日量が少なくとも１５０ｍｇである、請求項１〜１６のいずれか一項に記載の医薬組成物。
【請求項１８】
経口投与に適した形態であり、かつ、経口投与用の当該形態は少なくとも４０ｍｇのビオチンを含む、請求項１〜１７のいずれか一項に記載の医薬組成物。
【請求項１９】
経口投与に適した形態であり、かつ、経口投与用の当該形態は少なくとも７５ｍｇのビオチンを含む、請求項１〜１８のいずれか一項に記載の医薬組成物。
【請求項２０】
経口投与に適した形態であり、かつ、経口投与用の当該形態は少なくとも１００ｍｇのビオチンを含む、請求項１〜１９のいずれか一項に記載の医薬組成物。
【請求項２１】
多発性硬化症の治療における同時、個別、または逐次（時間的に隔たる）使用のためのビオチンと多発性硬化症に対する別の薬物との組み合わせ物。
【請求項２２】
多発性硬化症に対する前記別の薬物が、免疫調節剤または免疫抑制剤である、請求項２１に記載の組み合わせ物。
【請求項２３】
前記別の薬物が、インターフェロンβ、グラチラマー・アセテート、ナタリズマブ、フィンゴリモド、ファムプリジンおよびミトキサントロンからなる群から選ばれる請求項２１に記載の組み合わせ物。
【請求項２４】
多発性硬化症の治療において、多発性硬化症に対する別の薬物と共に、同時、個別、または逐次（時間的に隔たる）に使用するための、ビオチンを含んでなる医薬組成物。
【請求項２５】
多発性硬化症の治療において、多発性硬化症に対する別の薬物と共に、同時、個別、または逐次（時間的に隔たる）に使用するためのビオチンを含んでなる、請求項２４に記載の医薬組成物であって、多発性硬化症に対する前記別の薬物が、免疫調節剤または免疫抑制剤である、医薬組成物。
【請求項２６】
多発性硬化症の治療において、多発性硬化症に対する別の薬物と共に、同時、個別、または逐次（時間的に隔たる）に使用するためのビオチンを含んでなる、請求項２４に記載の医薬組成物であって、前記別の薬物が、インターフェロンβ、グラチラマー・アセテート、ナタリズマブ、フィンゴリモド、ファムプリジンおよびミトキサントロンからなる群から選ばれる、医薬組成物。
【手続補正書】
【提出日】平成28年6月27日(2016.6.27)
【手続補正１】
【補正対象書類名】特許請求の範囲
【補正対象項目名】全文
【補正方法】変更
【補正の内容】
【特許請求の範囲】
【請求項１】
i)コレステロール生合成阻害剤;および、
ii)選択的または非選択的ERβアゴニスト;
を含む、癌の処置のための組合せ剤。
【請求項２】
該コレステロール生合成阻害剤がOSCの阻害剤である、請求項１に記載の組合せ剤。
【請求項３】
該OSCの阻害剤がRo 48-8071である、請求項２に記載の組合せ剤。
【請求項４】
該ERβアゴニストが選択的ERβアゴニストである、請求項１〜３のいずれか一項に記載の組合せ剤。
【請求項５】
該ERβアゴニストが、3β-アジオール、DPN、アピゲニン、ERB-041、FERB-033、リキリチゲニン、およびWAY-00005から選択される、請求項１〜３のいずれか一項に記載の組合せ剤。
【請求項６】
さらに、抗ホルモン薬を含む、請求項１〜５のいずれか一項に記載の組合せ剤。
【請求項７】
該抗ホルモン薬が抗エストロゲン薬である、請求項６に記載の組合せ剤。
【請求項８】
該抗エストロゲン薬がタモキシフェンおよびフルベストラントから選択される、請求項７に記載の組合せ剤。
【請求項９】
i)コレステロール生合成阻害剤;および、
ii)抗ホルモン薬;
を含む、癌の処置のための組合せ剤。
【請求項１０】
該コレステロール生合成阻害剤がOSCの阻害剤である、請求項９に記載の組合せ剤。
【請求項１１】
該OSCの阻害剤がRo 48-8071である、請求項１０に記載の組合せ剤。
【請求項１２】
該抗ホルモン薬が抗エストロゲン薬である、請求項９〜１１のいずれか一項に記載の組合せ剤。
【請求項１３】
該抗エストロゲン薬がタモキシフェンおよびフルベストラントから選択される、請求項１２に記載の組合せ剤。
【請求項１４】
該癌が乳癌である、請求項１〜１３のいずれか一項に記載の組合せ剤。
【請求項１５】
該癌がERβ-陰性乳癌である、請求項１４に記載の組合せ剤。
【請求項１６】
該癌が三種陰性乳癌である、請求項１５に記載の組合せ剤。
【請求項１７】
該癌が卵巣癌である、請求項１〜１３のいずれか一項に記載の組合せ剤。
【請求項１８】
該癌が前立腺癌である、請求項１〜１３のいずれか一項に記載の組合せ剤。
【請求項１９】
該癌が肺癌である、請求項１〜１３のいずれか一項に記載の組合せ剤。
【請求項２０】
i)コレステロール生合成阻害剤;および、
ii)化学療法薬;
を含む、化学療法応答性疾患の処置のための、組合せ剤。
【請求項２１】
該コレステロール生合成阻害剤がOSCの阻害剤である、請求項２０に記載の組合せ剤。
【請求項２２】
該OSCの阻害剤がRo 48-8071である、請求項２１に記載の組合せ剤。
【請求項２３】
該疾患が癌である、請求項２０〜２２のいずれか一項に記載の組合せ剤。
【請求項２４】
該化学療法薬がドキソルビシンおよびドセタキセルから選択される、請求項２０〜２３のいずれか一項に記載の組合せ剤。
【請求項２５】
コレステロール阻害剤および選択的もしくは非選択的ERβアゴニストを含む医薬組成物。
【請求項２６】
該コレステロール阻害剤がコレステロール生合成阻害剤である、請求項２５に記載の医薬組成物。
【請求項２７】
該コレステロール生合成阻害剤がOSCの阻害剤である、請求項２６に記載の医薬組成物。
【請求項２８】
該OSCの阻害剤がRo 48-8071である、請求項２７に記載の医薬組成物。
【請求項２９】
該ERβアゴニストが選択的ERβアゴニストである、請求項２５〜２８のいずれか一項に記載の医薬組成物。
【請求項３０】
コレステロール阻害剤および抗ホルモン薬を含む、医薬組成物。
【請求項３１】
該コレステロール阻害剤がコレステロール生合成阻害剤である、請求項３０に記載の医薬組成物。
【請求項３２】
該コレステロール生合成阻害剤がOSCの阻害剤である、請求項３１に記載の医薬組成物。
【請求項３３】
該OSCの阻害剤がRo 48-8071である、請求項３２に記載の医薬組成物。
【請求項３４】
該抗ホルモン薬が抗エストロゲン薬である、請求項３０〜３３のいずれか一項に記載の医薬組成物。
【請求項３５】
該抗エストロゲン薬がタモキシフェンおよびフルベストラントから選択される、 請求項３４に記載の医薬組成物。
【請求項３６】
i)患者への投与のために製剤化されたコレステロール生合成阻害剤;
ii)患者への投与のために製剤化された治療上有効な量の選択的または非選択的ERβアゴニスト;
iii)患者への投与についての説明書、
を含むキット。
【請求項３７】
該コレステロール生合成阻害剤がOSCの阻害剤である、請求項３６に記載のキット。
【請求項３８】
該OSCの阻害剤がRo 48-8071である、請求項３７に記載のキット。
【請求項３９】
該ERβアゴニストが選択的ERβアゴニストである、請求項３６〜３８のいずれか一項に記載のキット。
【請求項４０】
該ERβアゴニストが、3β-アジオール、DPN、アピゲニン、ERB-041、FERB-033、リキリチゲニン、およびWAY-00005から選択される、請求項３６〜３８のいずれか一項に記載のキット。
【請求項４１】
さらに、抗ホルモン薬を含む、請求項３６〜４０のいずれか一項に記載のキット。
【請求項４２】
該抗ホルモン薬が抗エストロゲン薬である、請求項４１に記載のキット。
【請求項４３】
該抗エストロゲン薬がタモキシフェンおよびフルベストラントから選択される、請求項４２に記載のキット。
【手続補正書】
【提出日】平成28年4月6日(2016.4.6)
【手続補正１】
【補正対象書類名】特許請求の範囲
【補正対象項目名】全文
【補正方法】変更
【補正の内容】
【特許請求の範囲】
【請求項１】
少なくとも以下の（Ａ）から（Ｄ）を含むベンゾオキサジン樹脂組成物：
（Ａ）式（Ｉ）の構造を少なくとも２つ有する多官能ベンゾオキサジン樹脂；
（Ｂ）４０℃で液状でありグリシジル基を３個以上有する多官能エポキシ樹脂；
（Ｃ）スルホン酸エステル；および
（Ｄ）ポリエーテルスルホン、ポリスルホン、またはポリフェニレンスルフィドの少なくとも１つを含み、重量平均分子量が３０，０００ｇ／ｍｏｌ以下である熱可塑性樹脂。
【化１】
2015522092.tif 000001
式（Ｉ）中、Ｒ１は、炭素数１〜１２の直鎖アルキル基、炭素数３〜８の環状アルキル基、フェニル基、または炭素数１〜１２の直鎖アルキル基もしくはハロゲンで置換されたフェニル基を示し、芳香環の酸素原子が結合した炭素原子に対してオルト位およびパラ位にある炭素原子の少なくとも１つには水素が結合している。
【請求項２】
（Ｄ）が、重量平均分子量が７０００〜３０，０００ｇ／ｍｏｌのポリエーテルスルホンである、請求項１に記載のベンゾオキサジン樹脂組成物。
【請求項３】
（Ａ）のベンゾオキサジン官能基と（Ｂ）のエポキシ基の当量比（Ａ）／（Ｂ）が０．７〜１．０である、請求項２に記載のベンゾオキサジン樹脂組成物。
【請求項４】
さらに下記構成成分（Ｅ）を含み、構成成分（Ｅ）の配合量がベンゾオキサジン樹脂組成物全体を１００重量部として５重量部以下である、請求項３に記載のベンゾオキサジン樹脂組成物。
（Ｅ）芳香族アミン、単官能フェノール、多官能フェノール化合物、ポリフェノール化合物、およびこれらの組み合わせからなる群より選択される少なくとも１種のエポキシ樹脂硬化剤
【請求項５】
（Ｂ）の７０〜１００質量％がグリシジルアミン型エポキシからなる、請求項４に記載のベンゾオキサジン樹脂組成物。
【請求項６】
（Ｄ）の熱可塑性樹脂の末端官能基の５０ｍｏｌ％以上がヒドロキシル基またはアミノ基である、請求項５に記載のベンゾオキサジン樹脂組成物。
【請求項７】
（Ｃ）がベンゼンスルホン酸エステルまたはトルエンスルホン酸エステルからなる、請求項６に記載のベンゾオキサジン樹脂組成物。
【請求項８】
（Ｃ）の配合量がベンゾオキサジン樹脂全体を１００重量部として０．５〜５重量部である、請求項７に記載のベンゾオキサジン樹脂組成物。
【請求項９】
平均粒径が５〜３０μｍの熱可塑性樹脂粒子からなる構成成分（Ｇ）をさらに含む、請求項７に記載のベンゾオキサジン樹脂組成物。
【請求項１０】
請求項１〜８のいずれかに記載のベンゾオキサジン樹脂組成物と炭素繊維とを含むプリプレグ。
【請求項１１】
請求項１０に記載のプリプレグを含む炭素繊維強化複合材料であって、前記プリプレグが硬化している炭素繊維強化複合材料。
【請求項１２】
請求項１〜９のいずれかに記載のベンゾオキサジン樹脂組成物を含む硬化樹脂材料。
【請求項１３】
請求項１２に記載の硬化樹脂材料と炭素繊維とを含む炭素繊維強化複合材料。
【手続補正２】
【補正対象書類名】明細書
【補正対象項目名】００１０
【補正方法】変更
【補正の内容】
【００１０】
本明細書に開示されているのは、ある実施形態によれば、少なくとも以下の（Ａ）から（Ｄ）を含むベンゾオキサジン樹脂組成物である。
（Ａ）式（Ｉ）の構造を少なくとも２つ有する多官能ベンゾオキサジン樹脂；
（Ｂ）４０℃で液状でありグリシジル基を３個以上有する多官能エポキシ樹脂；
（Ｃ）スルホン酸エステル；および
（Ｄ）ポリエーテルスルホン、ポリスルホン、またはポリフェニレンスルフィドの少なくとも１つを含み、重量平均分子量が３０，０００ｇ／ｍｏｌ以下である熱可塑性樹脂。
【化１】
2015522092.tif 000002
式（Ｉ）中、Ｒ１は、炭素数１〜１２の直鎖アルキル基、炭素数３〜８の環状アルキル基、フェニル基、または炭素数１〜１２の直鎖アルキル基もしくはハロゲンで置換されたフェニル基を示し、芳香環の酸素原子が結合した炭素原子に対してオルト位およびパラ位にある炭素原子の少なくとも１つには水素が結合している。
【手続補正３】
【補正対象書類名】明細書
【補正対象項目名】００２３
【補正方法】変更
【補正の内容】
【００２３】
【化２】
2015522092.tif 000003
【手続補正４】
【補正対象書類名】明細書
【補正対象項目名】００４１
【補正方法】変更
【補正の内容】
【００４１】
【化３】
2015522092.tif 000004
【手続補正５】
【補正対象書類名】明細書
【補正対象項目名】００４４
【補正方法】変更
【補正の内容】
【００４４】
【化４】
2015522092.tif 000005
【化５】
2015522092.tif 000006
【化６】
2015522092.tif 000007
【化７】
2015522092.tif 000008
【化８】
2015522092.tif 000009
【化９】
2015522092.tif 000010
【化１０】
2015522092.tif 000011
【化１１】
2015522092.tif 000012
【化１２】
2015522092.tif 000013
【化１３】
2015522092.tif 000014
【化１４】
2015522092.tif 000015
【化１５】
2015522092.tif 000016